(57)【要約】      （修正有）【課題】開封後にチャック部同士を接合させることで封緘された包装用袋を、再度開封する際には、前面フィルムと後面フィルムの上端縁を指で広げ、前面フィルム及び後面フィルムをそれぞれ指でつまんで引っ張り、開口部を広げる動作が必要となる。ところが、このフィルムの上端縁を広げる動作や、フィルムを指でつまむ動作が、指先が滑って行い難い。本考案は、上記動作を容易に行うことを可能とするための孔部を、包装用袋に設けるための包装用袋切裂き具を提供する。【解決手段】包装用袋切裂き具は、先端が尖った第一刃部と、第一刃部１１の両側部から立ち上がる第二刃部１２とを、一方端部に備えた板材で構成される。第一刃部と第二刃部を板材の両端に設けてもよい。【選択図】図１
0003231133.tif 000002
【実用新案登録請求の範囲】
【請求項１】
先端が尖った第一刃部（１１）と、第一刃部（１１）の両側部から立ち上がる第二刃部（１２）とを、一方端部に備えた板材（１４）である包装用袋切裂き具（１０）。
【請求項２】
第一刃部（１１）と第二刃部（１２）を板材（１４）の両端に設けた請求項１に記載の包装用袋切裂き具（１０）。
【請求項３】
板材（１４）の縁部に切込みを設け、該切込みを第三刃部（１３）とした請求項１又は請求項２に記載の包装用袋切裂き具（１０）。
【考案の詳細な説明】
【技術分野】
【０００１】
本考案は菓子などが封入された包装用袋を切り裂くための用具に関し、より詳しくは開封後のチャック付き包装用袋に使用される包装用袋切裂き具に関する。
【背景技術】
【０００２】
開口部近傍の前面フィルムと後面フィルムそれぞれの対向する内側にチャック部を設け、チャック部同士の接離により開口部を開閉自在に構成したチャック付き包装袋が、菓子などの包装用に汎用されている。
【０００３】
かかる包装用袋はチャックより上方の縁部にノッチが設けられ、該ノッチから切り裂き後に形成される開口部と平行に前面フィルムと後面フィルムを切裂くことで開封し、開封後はチャック部同士を接合させることで封緘するものである。
【０００４】
特許文献１には、袋の上部領域の一隅部にノッチと開封補助線とを形成することで、開封を容易にした包装用袋が開示されている。
【先行技術文献】
【特許文献】
【０００５】
【特許文献１】特開２０１１−２４６１７４号公報
【考案の開示】
【考案が解決しようとする課題】
【０００６】
上記の通り、開封後にチャック部同士を接合させることで封緘された包装用袋を、再度開封する際には、前面フィルムと後面フィルムの上端縁を指で広げ、前面フィルム及び後面フィルムをそれぞれ指でつまんで引っ張り、開口部を広げる動作が必要となる。
【０００７】
ところが、加齢などで指先の油分や湿り気が減少している高齢者などは、上記フィルムの上端縁を広げる動作や、フィルムを指でつまむ動作が、指先が滑って行い難い。
【０００８】
そこで本考案は、上記動作を容易に行うことを可能とするための孔部を、包装用袋に設けるための包装用袋切裂き具を提供することを目的とする。
【課題を解決するための手段】
【０００９】
上記課題を解決する本考案の構成は、以下の通りである。
【００１０】
（１）  請求項１に記載の包装用袋切裂き具は、先端が尖った第一刃部と、第一刃部の両側部から立ち上がる第二刃部とを、一方端部に備えた板材である。
【００１１】
（２）  請求項２に記載の包装用袋切裂き具は、請求項１記載の考案において、第一刃部と第二刃部を板材の両端に設けて構成した。
【００１２】
（３）  請求項３に記載の包装用袋切裂き具は、請求項１記載又は請求項２記載の考案において、板材の縁部に切込みを設け、該切込みを第三刃部として構成した。
【考案の効果】
【００１３】
上記のように構成される本考案が、如何に作用して課題を解決するかを図面を参照しながら概説する。なお、各図におけるＵとは上方を、Ｄは下方を、Ｒは右方向を、Ｌは左方向を意味するものである。
【００１４】
図６は本考案に係る包装用袋切裂き具を用いて、孔部４を形成した後の包装用袋１を示すものである。該包装用袋１は、上述のノッチから切り裂き、開口部２を形成した後の包装用袋１を示すものである。開口部２の下方内面にはチャック３が取り付けられている。
【００１５】
上記孔部４は包装用袋１の前面フィルムのみに形成されている。かかる構成とすることで、孔部４に指を差し込むと前面フィルムのみに指先が引っ掛かり、容易に開封することが可能となるからである。これに対し、後面フィルムまで切裂いて孔部４を形成してしまうと、孔部４の縁部において前面フィルムと後面フィルムが重なってしまい、指先の油分等が減少している高齢者等にとっては、やはり開封が困難となってしまうからである。
【００１６】
本考案に係る包装用袋切裂き具１０は、上記孔部４を形成するために使用されるものである。具体的には図１に示されるように、板材１４の端部に設けられた第一刃部１１を、包装用袋に差し込み、次いで第一刃部１１両側部から立ち上がる第二刃部１２で包装用袋1の前面フィルム或いは後面フィルムを引き裂きながら、孔部４を形成していくものである。
【００１７】
この際、図２に示される一対の第二刃部１２，１２間の距離Ｈ１が、図６に示される孔部４の上下方向の幅Ｈ２となる。それゆえ、Ｈ１の数値の設定により、孔部４の幅Ｈ２を所望のものとすることが可能となる。具体的には孔部４の幅として５ｍｍが好ましい場合には、Ｈ１の数値が５ｍｍとなるように板材１４を形成すればよく、８ｍｍが好ましい場合には、Ｈ１の数値が８ｍｍとなるように板材１４を形成すればよい。
【００１８】
請求項３に記載の包装用袋切裂き具は、図１に示すように板材１４の縁部に切込みである第三刃部１３を設けてある。この第三刃部に１３により包装用袋を切裂くことで、例えばノッチが設けていない包装用袋の開封や、ノッチが設けられていても老眼等で視認しづらい包装用袋の開封が容易になるものである。
【図面の簡単な説明】
【００１９】
【図１】本考案の正面図
【図２】同、背面図
【図３】同、平面図
【図４】同、底面図
【図５】同、右側面図
【図６】本考案により孔部を設けた包装用袋の説明図
【考案を実施するための形態】
【００２０】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００２１】
図１に示すように、本考案に係る包装用袋切裂き具１０は、細長の平板である板材１４の端部に、先端が先細に尖ったの第一刃部１１が設けてある。この第一刃部１１は、その両側縁部１１a，１１aが包装用フィルムを形成するフィルムを切り裂くことが可能な程度に肉薄に形成されている。この第一刃部１１は、請求項１に記載の考案では板材１４の一方端部にのみ形成されているが、請求項２に記載の考案では図１に示すように板材の両端部に設けられている。
【００２２】
第二刃部１２は、図５に示すように、第一刃部１１の両側部から略垂直に立ち上がる形状で設けられている。尚、図５は可視的にするために図１乃至図４に示される図面の３倍の大きさに作図してある。また、請求項２に記載の包装用袋１０の左側面図は、図５に示される右側面図同一に表れるものである。
【００２３】
図４に示される第二刃部１２の基部１２a付近は、フィルムを切り裂くことが可能な程度に肉薄に形成されている。
【００２４】
第三刃部１３は、図１に示されるように板材１４の下辺部に、傾斜した切込みを設けることで形成される。傾斜方向側の縁部１３a、図１で言えば左側に存する縁部１３aは、フィルムを切り裂くことが可能な程度に肉薄に形成されている。
【００２５】
なお、第三刃部１３は図１においては板材１４の下辺部に形成されているが、むろんかかる限定を受けるものではなく、上辺に設けても構わないし、上辺と下辺の双方に設けても構わない。
【００２６】
上述の通り形成される包装用袋切裂き具１０は、ステンレス、鋼、鋼鉄等、硬質の材料で形成されるものである。
【００２７】
また、板材１４は図１乃至図５に示さるように、持ち手部材１５内に嵌挿されている。持ち手部材１５は樹脂で形成された中空の直方体であり、該中空の部位に板材１４が嵌挿されるものである。
【符号の説明】
【００２８】
１０・・包装用袋切裂き具
１１・・第一刃部
１２・・第二刃部
１３・・第三刃部
１４・・板材
１５・・持ち手部材
【図１】
0003231133.tif 000003
【図２】
0003231133.tif 000004
【図３】
0003231133.tif 000005
【図４】
0003231133.tif 000006
【図５】
0003231133.tif 000007
【図６】
0003231133.tif 000008